(57)【要約】【課題】原稿の読み取り以外に、名刺のような小サイズの記録媒体の読み取りを簡単に行えるようにする。【解決手段】キャビネット３内に、載置台４の原稿を読み取る第１読取部１が設けられる。第１読取部１の第１走査ユニット２１の移動領域の下方で、かつ撮像素子１５とキャビネット３の側壁との間のスペースに、小サイズの記録媒体Ｘを載置する載置部５が設けられる。載置部５に対して、記録媒体は前面から出し入れ可能とされる。第１走査ユニット２１に、第２読取部２が載置部５に対向するように設けられる。第２読取部２は、第１走査ユニット２１を共用して、載置部５にセットされた記録媒体Ｘを走査して、画像を読み取る。【選択図】図１
2009188695.tif 000002
【特許請求の範囲】
【請求項１】
表面に画像が記録された記録媒体を走査して画像を読み取る第１読取部と、異なる記録媒体を走査して画像を読み取る第２読取部とを備え、第１読取部は、移動しながら記録媒体を走査する走査部を有し、第２読取部は、走査部を共用することを特徴とする画像読取装置。
【請求項２】
キャビネットの上面に載置台が設置され、キャビネット内に設けられた第１読取部は、載置台の上方にある記録媒体を読み取り、キャビネット内に記録媒体の載置部が設けられ、走査部に第２読取部が設けられ、第２読取部は、載置部にある記録媒体を読み取ることを特徴とする請求項１記載の画像読取装置。
【請求項３】
載置部は、走査部の移動領域の下方に配置され、移動領域の一部に載置部の上面が面したことを特徴とする請求項２記載の画像読取装置。
【請求項４】
第１読取部は、記録媒体の画像を読み取る読取素子を有し、載置部は、読取素子とキャビネットの側壁との間のスペースに配置されたことを特徴とする請求項３記載の画像読取装置。
【請求項５】
載置部に対して、記録媒体がキャビネットの前面から出し入れ可能とされたことを特徴とする請求項４記載の画像読取装置。
【請求項６】
載置部に、記録媒体を取り出すための排出部が設けられたことを特徴とする請求項５記載の画像読取装置。
【請求項７】
第１読取部の読取素子は、第２読取部の読取素子よりも焦点距離の長い読取素子とされたことを特徴とする請求項４記載の画像読取装置。
【請求項８】
載置部の上面に、第２読取部に対向する読取窓が形成され、記録媒体は読取窓に密着するように付勢されたことを特徴とする請求項３記載の画像読取装置。
【請求項９】
載置部の読取窓と第２読取部との間隔を一定に保つための規制部が設けられたことを特徴とする請求項８記載の画像読取装置。
【請求項１０】
第２読取部が走査の開始位置に達するように、走査部は載置部の上面に案内されることを特徴とする請求項８記載の画像読取装置。
【請求項１１】
記録媒体の読み取りを制御する制御部を備え、載置部に記録媒体がセットされたことを検出したとき、制御部は、第２読取部による読取動作を実行することを特徴とする請求項１〜３のいずれかに記載の画像読取装置。
【請求項１２】
制御部は、第２読取部が走査の開始位置に位置するように、走査部を駆動制御することを特徴とする請求項１１記載の画像読取装置。
【発明の詳細な説明】
【技術分野】
【０００１】
本発明は、原稿等の記録媒体の画像を読み取る画像読取装置に関する。
【背景技術】
【０００２】
原稿読取装置は、載置台に載置された原稿を走査して画像を読み取る。あるいは自動原稿送り装置を有している場合、搬送されてきた原稿から画像を読み取る。読み取られた画像は、画像処理装置に出力され、画像処理装置において、コピー、ファクシミリ送信、ファイリングといった処理が行われる。また、原稿読取装置は、画像をパソコン等の情報処理装置に送信し、情報処理装置において、画像のデータ処理が行われる。
【０００３】
原稿以外に画像が記録された記録媒体として、名刺やカード等がある。このような記録媒体は、一般的な原稿に比べて小サイズである。名刺等の記録媒体には氏名等の個人情報が記載されている。読み取った画像には個人情報が含まれ、この情報を利用して、ユーザ認証が行われたり、画像の管理が行われる。
【０００４】
名刺等の小サイズの記録媒体を載置台にセットして読み取る場合、原稿カバーを開閉したり、セットする位置を決めるのに手間がかかり、従来の画像読取装置では使い勝手が悪い。そこで、小サイズの記録媒体の画像を読み取る専用の読取装置を別に設けることにより、使い勝手はよくなる。
【０００５】
また、特許文献１には、記録媒体の画像を読み取る読取部に対して、移動自在な原稿台と、原稿を搬送する搬送部とが設けられた画像読取装置が記載されている。この装置では、シート状の原稿とは異なる原稿の画像を読み取ることができる。
【特許文献１】特開昭６２−６７９６３号公報
【発明の開示】
【発明が解決しようとする課題】
【０００６】
専用の読取装置を設ける、あるいは原稿台および搬送部を設けると、部品点数が増え、装置の大型化を招く。小サイズの記録媒体の読み取りを行うのであるため、大掛かりな装置は不要である。そこで、本発明は、上記に鑑み、小サイズの記録媒体の読み取りに適した、コンパクトで使い勝手のよい画像読取装置の提供を目的とする。
【課題を解決するための手段】
【０００７】
本発明は、表面に画像が記録された記録媒体を走査して画像を読み取る第１読取部と、異なる記録媒体を走査して画像を読み取る第２読取部とを備え、第１読取部は、移動しながら記録媒体を走査する走査部を有し、第２読取部は、走査部を共用するものである。
【０００８】
第１読取部と第２読取部が走査部を共用することにより、第２読取部を付加しても、部品点数の増加を抑制でき、スペースの増大も防げる。具体的には、キャビネットの上面に載置台が設置され、キャビネット内に設けられた第１読取部は、載置台の上方にある記録媒体を読み取る。キャビネット内に記録媒体の載置部が設けられ、走査部に第２読取部が設けられ、第２読取部は、載置部にある記録媒体を読み取る。
【０００９】
第２読取部が第１読取部を構成する走査部に直接設けられる。そのため、第２読取部を走査させるための部品を新たに設ける必要がなくなる。
【００１０】
載置部は、走査部の移動領域の下方に配置され、移動領域の一部に載置部の上面が面している。この配置により、走査部を共用することができる。そして、第１読取部は、記録媒体の画像を読み取る読取素子を有し、載置部は、読取素子とキャビネットの側壁との間のスペースに配置される。このスペースを有効に利用でき、新たなスペースが不要となる。
【００１１】
載置部に対して、記録媒体がキャビネットの前面から出し入れ可能とされる。そして、載置部に、記録媒体を取り出すための排出部が設けられる。ユーザは記録媒体を簡単に出し入れすることができ、使い勝手がよい。
【００１２】
第１読取部の読取素子は、第２読取部の読取素子よりも焦点距離の長い読取素子とされる。そして、載置部の上面に、第２読取部に対向する読取窓が形成され、記録媒体は読取窓に密着するように付勢される。記録媒体が読取窓に密着されるので、読取窓が移動領域に面し、第２読取部に対向する。そのため、第２読取部の読取素子として、焦点距離の短いものを用いることができる。
【００１３】
載置部の読取窓と第２読取部との間隔を一定に保つための規制部が設けられる。これによって、走査中、第２読取部と記録媒体とは一定の距離となるので、画像の読取精度が高まる。
【００１４】
第２読取部が走査の開始位置に達するように、走査部は載置部の上面に案内される。走査部の移動中に振動が発生しても、走査部をスムーズに載置部の上面に導くことができる。
【００１５】
記録媒体の読み取りを制御する制御部を備え、載置部に記録媒体がセットされたことを検出したとき、制御部は、第２読取部による読取動作を実行する。このとき、制御部は、第２読取部が走査の開始位置に位置するように、走査部を駆動制御する。載置部に記録媒体がセットされていないとき、制御部は、第１読取部による読取動作を実行する。
【発明の効果】
【００１６】
本発明によると、第２読取部を設けることにより、小サイズの記録媒体の読み取りを容易に行うことができ、画像読取装置の機能の向上を図れる。そして、既存の第１読取部の部品を利用して、第２読取部を設けることにより、部品点数の増加および設置スペースの増大を抑制することができる。
【発明を実施するための最良の形態】
【００１７】
本実施形態の画像読取装置を図１に示す。画像読取装置は、表面に画像が記録された記録媒体を走査して画像を読み取る第１読取部１と、第１読取部１における記録媒体とは異なる記録媒体を走査して画像を読み取る第２読取部２とを備える。第１読取部１および第２読取部２は、キャビネット３に内装される。キャビネット３の上面には、透明なガラスからなる載置台４が設けられ、載置台４の上面には、シート状の原稿や本等の記録媒体が載置される。なお、図示しないが、キャビネット３には、載置台４を覆う原稿カバーが開閉自在に設けられ、原稿カバーに自動原稿送り装置が装着される。
【００１８】
第１読取部１は、載置台４の上方にある原稿等の記録媒体の画像を読み取る公知の読取部である。第２読取部２は、キャビネット３内に設けられた載置部５に収容された記録媒体Ｘの画像を読み取る。載置部５は、名刺、カード等の小サイズの記録媒体Ｘを収容可能とされる。
【００１９】
第１読取部１は、第１光源１０、第１〜第３ミラー１１〜１３、結像レンズ１４、撮像素子１５を有する。第１読取部１は、載置台４の下方に配置される。記録媒体の画像を取得する読取素子としての撮像素子１５には、例えばＣＣＤが用いられる。
【００２０】
第１光源１０は、載置台４に載置される原稿を照明する。第１光源１０の周囲には、反射板１６が設けられ、光源１０からの光を載置台４の上面に集光する。各ミラー１１〜１３および結像レンズ１４は、原稿から反射された光をＣＣＤからなる撮像素子１５に結像する結像光学系を構成する。結像レンズ１４は、複数枚のレンズを略円筒状の枠部材に固定したものである。枠部材としては、アルミニウムやガラス入りの樹脂などが用いられる。
【００２１】
複数のミラー１１〜１３は、原稿からの光を結像レンズ１４に導く。第1光源１０から照射された光は、載置台４に載置された原稿の表面で乱反射する。原稿の表面から下方に反射した光は、第１ミラー１１で反射され、その後第２ミラー１２、第３ミラー１３で順に反射されて、結像レンズ１４に導かれる。結像レンズ１４を通過した光は、撮像素子１５上に結像される。撮像素子１５は、光信号を電気信号に変換して、画像信号として出力する。
【００２２】
第１ミラー１１は、第1光源１０と共に第１走査ユニット２１に搭載される。第２、第３ミラー１２，１３は、第２走査ユニット２２に搭載される。なお、第１走査ユニット２１１を走査部と称し、第２走査ユニット２２を第２の走査部と称する。各走査部は、移動しながら原稿を走査する。
【００２３】
第１走査ユニット２１は、駆動モータ、プーリ、ワイヤからなる駆動系によって駆動され、キャビネット３の幅方向である副走査方向に往復移動する。なお、キャビネット３の前後方向が主走査方向である。第１走査ユニット２１は、走査時には、矢印Ａ１の読取方向に一定の速度Ｖで移動する。読取終了後には、矢印Ａ２の復帰方向に移動する。第２走査ユニット２２も同じ駆動系によって駆動され、第１走査ユニット２１の速度Ｖに対して２分の１の速度（Ｖ／２）で読取方向Ａ１に移動する。
【００２４】
走査部の移動による原稿に対する読取位置は、走査始端Ｐ１から走査終端Ｐ２までとされる。走査始端Ｐ１および走査終端Ｐ２は、光源から照射される光の中心線が載置台４の上面で反射する地点である。第１走査ユニット２１は、始端Ｐ１に対応する初期位置から終端Ｐ２に対応する終了位置まで移動する。初期位置から終了位置までが第１走査ユニット２１の移動領域とされる。同様に、第２走査ユニット２２の初期位置および終了位置が決まり、第２走査ユニット２２の移動領域は第１走査ユニットの移動領域の半分となる。
【００２５】
第１走査ユニットおよび第２走査ユニット２２の移動に伴って、ミラー群が載置台４に沿って移動する。第１走査ユニット２１および第２走査ユニット２２の移動中、両者の速度比は２：１に保たれるので、原稿面から結像レンズ１４に至る光路長が一定に保たれる。これによって、走査始端Ｐ１から走査終端Ｐ２までの原稿の画像が撮像素子１５に結像する。
【００２６】
走査始端Ｐ１よりも外側の載置台４上に、シェーディング補正用の基準白板２３が設けられている。第１走査ユニット２１は、基準白板２３の下に移動したとき、基準白板２３の像が撮像素子１５に結像される。これにより、白補正データが作成される。
【００２７】
第１走査ユニット２１の位置を検知するために、図示しない複数の位置センサが設けられている。位置センサは、例えばフォトインタラプタであって、第１走査ユニット２１に設けられた遮光板がフォトインタラプタのスリットを通過することにより、位置センサは検出信号を出力する。第１走査ユニット２１の初期位置あるいは終了位置への到達が検出される。検出信号に応じて、駆動モータの回転が制御され、第１走査ユニット２１および第２走査ユニット２２の移動が制御される。そのため、走査部は、移動領域の端まで達したときに停止する。
【００２８】
第２読取部２は、第２光源３０と読取素子３１としてＣＩＳ（Ｃｏｎｔａｃｔ Ｉｍａｇｅ Ｓｅｎｓｏｒ）とを有する。第２読取部２は、走査部である第１走査ユニット２１に設けられる。
【００２９】
第２読取部２は、第１光源１０および第１ミラー１１の下方に配置され、仕切り板３２により第１読取部１とは遮光されている。第２読取部２は、第１走査ユニット２１の移動により、副走査方向に往復移動する。すなわち、第１読取部１と第２読取部２とは、走査部を共用することになる。
【００３０】
載置部５は、図１（ｂ）に示すように、第２読取部２の下方に位置する。そして、載置部２は、撮像素子１５とキャビネット３の側壁との間にできたスペースに配置される。このスペースは、第２走査ユニット２２の移動領域外である。したがって、載置部５は、各走査部の移動に干渉することはない。このように、空きスペースを利用して、載置部５を設けることにより、メインの読取部１の他にサブの読取部２を設けても、装置の大型化を防止できる。
【００３１】
第２読取部２は、載置部５の上面に沿って副走査方向に走査される。第２読取部２の走査始端Ｐ３は、載置部５の左側縁に対応する位置であり、第２走査ユニット２１は開始位置に位置する。第２読取部２の走査終端は、載置部５の右側縁に対応する位置であり、第１走査ユニット２１が終了位置にあるときの終端と同位置である。
【００３２】
載置部５の上面は、第１走査ユニット２１の移動領域の一部に面する。載置部５の上面には、読取窓３５が形成され、読取窓３５に透明なガラス製の押え板３６が嵌め込まれる。第２読取部２は、収容された記録媒体に上から臨むので、記録媒体の画像を読み取ることができる。そのため、第２読取部２の読取素子３１は、焦点距離が短くてよい。
【００３３】
したがって、第１読取部１の撮像素子１５は、第２読取部２の読取素子３１よりも焦点距離の長い読取素子が用いられる。すなわち、撮像素子１５としてのＣＣＤは、光学縮小方式の素子であり、読取素子３１としてのＣＩＳは、等倍光学方式の素子である。撮像素子１５は、綴じ部分がある本のような一部が窪んだ記録媒体を明瞭に読み取ることができる。また、読取素子３１にはコンパクトなＣＩＳを用いることができ、第２読取部２を小型化できる。第２読取部２を既存の第１走査ユニット２１に搭載することができる。そのため、第２読取部２および載置部５を後付けすることが可能となり、画像読取装置の機能アップを容易に図れる。
【００３４】
図２に示すように、載置部５は、箱状に形成され、前面に、記録媒体を出し入れするための開口３７が形成される。記録媒体は、キャビネット３の前面から出し入れ可能とされる。
【００３５】
載置部５の内部には、開口３７から出し入れされる記録媒体を案内するガイドローラ３８が複数設けられる。ガイドローラ３８は、弾力性を有するローラであり、例えばゴムローラとされる。記録媒体がガイドローラ３８に接触することにより、ガイドローラ３８の弾力性によって記録媒体は押え板３６に押し付けられる。すなわち、ガイドローラ３８は、記録媒体が押え板３６に密着するように記録媒体を付勢する押圧部として機能する。記録媒体が押え板３６に密着することにより、第２読取部２による読取精度が高まる。
【００３６】
また、図３に示すように、載置部５は、第２読取部２に向けて付勢されている。載置部５の下方にばね３９が設けられ、載置部５を上方に付勢している。第１走査ユニット２１が載置部５の上方に移動してきたとき、載置部５は第２読取部２に向けて押し上げられる。
【００３７】
第２読取部２と載置部５の上面とは一定の間隔で保持される。この間隔を保つために規制部が設けられる。規制部は、第２走査ユニット２１の下面に形成された突起４０である。突起４０は、載置部５の上面の端に対向するような位置に形成され、突起４０は押え板３６と対向しない。突起４０が載置部５の上面に当接することにより、第２読取部２と載置部５は一定の間隔となる。なお、突起４０は、載置部５に設けてもよい。
【００３８】
載置部５が上方に向けて付勢されているため、第２走査ユニット２１が移動するとき、スムーズに移動可能なように載置部５に案内部が設けられる。案内部は、載置部の上面から副走査方向に突出したガイドレール４１からなり、ガイドレール４１は傾斜面を有する。
【００３９】
移動してきた第２走査ユニット２１の突起４０がガイドレール４１に接触し、突起４０がガイドレール４１に沿って摺動する。これにより、第２走査ユニット２１は、引っ掛かることなく、スムーズに移動して、走査始端Ｐ３に対応する位置に案内される。そして、突起４０がガイドレール４１に接触すると、載置部５は第２走査ユニット２１により押し下げられる。載置部５がばね３９により付勢されているので、載置部５の上面と第２読取部２とは一定の間隔をおいて安定的に保持される。
【００４０】
載置部５は、記録媒体を取り出すための排出部を備えている。排出部は、ユーザが操作するイジェクトボタン４２と、イジェクトボタン４２に連動して記録媒体を押し出す排出レバー４３とからなる。イジェクトボタン４２は、載置部５に内装された移動自在なシャフトである。イジェクトボタン４２は、前後方向に移動可能とされ、ばね４４により前方に付勢されている。この付勢により、イジェクトボタン４２の前端は載置部５の前面よりも前方に突出する。ユーザは、イジェクトボタン４２をキャビネット３の外部から操作できる。排出レバー４３は、載置部５の後側に支軸４５周りに回動自在に支持され、一端が記録媒体に当接し、他端がイジェクトボタン４２に当接する。
【００４１】
記録媒体が挿入されているとき、イジェクトボタン４２が押されると、排出レバー４３が反時計回りに回動する。排出レバー４３は記録媒体の後端を前方に向けて押し、記録媒体が載置部５の開口から飛び出し、ユーザは記録媒体を掴んで取り出せる。
【００４２】
載置部５内の後側には、記録媒体を検知する検知センサ４６が設けられている。検知センサ４６は、記録媒体の有無を検出する。検知センサ４６として、例えばフォトインタラプタといった光センサが用いられる。記録媒体が載置部５内に挿入されると、フォトインタラプタの発光素子と受光素子との間が記録媒体によって遮られ、フォトインタラプタは検出信号（ＯＮ信号）を出力する。記録媒体がないとき、受光素子は発光素子からの光を受けるので、ＯＦＦ信号を出力する。
【００４３】
図４に示すように、画像読取装置は、コンピュータ、プリンタ等の外部機器２００に通信可能に接続される。読み取った画像が外部機器２００に出力され、外部機器２００において、画像に所定の処理が施される。画像読取装置は、制御部１０１、スキャナ部１０２、画像処理部１０３、記憶部１０４、通信部１０５、操作パネル１０６、駆動モータ１０７ａの駆動制御用ドライバ１０７を備えている。
【００４４】
制御部１０１は、装置全体の動作を制御をする。制御部１０１は、ＣＰＵ、ＲＯＭ、ＲＡＭ等によって構成される。スキャナ部１０２は、第１読取部１、第２読取部２、各走査部によって構成される。画像処理部１０３は、第１読取部１または第２読取部２により読み取られた光学データをページ単位で電気的な画像データに変換する。記憶部１０４は、例えばＲＡＭ、ＥＥＰＲＯＭ、ハードディスク、ＭＯなどとされ、制御部１０１によって処理されるデータ、入力された各種指示内容を記憶する。また、記憶部１０４は、スキャナ部１０２で読み取った画像を記憶する。
【００４５】
通信部１０５は、ＬＡＮあるいはインターネット等のネットワークを通じて外部機器２００との間で双方向通信を行う。画像処理部１０３で画像処理したデータが外部機器２００に送信される。また、通信部１０５は、ファクシミリ通信を行ってもよい。通信部１０５は、電話回線に接続され、読み取った画像をファクシミリ送信したり、ファクシミリ装置から画像信号を受信する。画像信号は、メモリに一旦保存され、画像に展開される。
【００４６】
操作パネル１０６は、タッチパネル付きの表示パネルと、入力キーを有する操作部とからなる。操作パネル１０６は、載置台５の手前側に配置される。操作パネル１０６は、画像読取時の動作モード、例えば片面読み取りや両面読み取りなどの指定を入力する場合に用いられる。
【００４７】
ドライバ１０７は、制御部１０１からの指令により駆動制御される。制御部１０１は、原稿を載置台４に載置したときの原稿固定方式において原稿画像を読み取る場合に、ドライバ１０７を制御する。また、載置部５に記録媒体がセットされたときにも、ドライバ１０７を制御する。ドライバ１０７の駆動により、駆動モータ１０７ａが動作して、第１走査ユニット２１および第２走査ユニット２２が適宜の速度で副走査方向に移動する。
【００４８】
次に、画像読取時の画像読取装置の動作を図５にしたがって説明する。ユーザが読取開始ボタンをオンすると、読取動作がスタートする。制御部１０１は、載置部５に名刺、カード等の小サイズの記録媒体がセットされているかをチェックする（Ｓ１）。検知センサ４６がオフであれば、載置部５に記録媒体は装着されていない。制御部１０１は、第１読取部１による原稿の読み取りを行う第1読取モードを設定する。載置台４に対しては、原稿検知センサが設けられており、原稿の有無が検出される。
【００４９】
制御部１０１は、原稿がセットされていることを確認すると、第１光源１０を点灯し（Ｓ２）、ドライバ１０７を制御する。初期位置にある第１走査ユニット２１が移動して、走査部による走査が開始される（Ｓ３）。走査に伴って、原稿の画像が読み取られ、撮像素子１５からの画像データが記憶部１０４に記憶される（Ｓ４）。第１走査ユニット２１が終了位置に達するまで、走査部による原稿の走査が行われる（Ｓ５）。
【００５０】
第１走査ユニット２１が終了位置に到達したことが検出されると、制御部１０１は、第1光源１０を消灯して（Ｓ６）、第1走査ユニット２１が初期位置まで復帰するように走査部を移動させ（Ｓ７）、読取処理を終了する。
【００５１】
Ｓ１において、載置部５に記録媒体がセットされているとき、検知センサ４６がオンする。制御部１０１は、第２読取部２による読み取りを行う第２読取モードを設定する。制御部１０１は、第２光源３０を点灯し（Ｓ１０）、ドライバ１０７を制御する。開始位置にＣＩＳが位置するように、第１走査ユニット２１が初期位置から移動する（Ｓ１１）。そして、第１走査ユニット２１が終了位置に向けて移動し、第２読取部２による走査が行われる（Ｓ１２）。以降、終了位置に達するまで第１走査ユニット２１は移動する。この間に、載置部５にセットされた記録媒体の画像が読み取られ、読取素子３１から出力された画像データが記憶部１０４に記憶される（Ｓ１３）。
【００５２】
第1走査ユニット２１が終了位置まで移動したことが検出される（Ｓ１４）と、制御部１０１は、第２光源３０を消灯して（Ｓ１５）、第１走査ユニット２１を初期位置まで復帰移動させ（Ｓ１６）、読取処理を終了する。このように、第２読取モードでは、小サイズの記録媒体の画像領域である始端Ｐ３から終端Ｐ２までが読取領域となる。各モードで読み取られた画像は、ユーザによって指定された処理に応じて、外部機器２００に出力される。
【００５３】
名刺やカードのような小サイズの記録媒体を載置部５にセットすることによって、この記録媒体の画像が読み取られる。したがって、ユーザは記録媒体を差し込む操作を行うだけでよく、原稿カバーを開閉するような操作が必要なくなり、操作性がよくなる。
【００５４】
なお、本発明は、上記実施形態に限定されるものではなく、本発明の範囲内で上記実施形態に多くの修正および変更を加え得ることは勿論である。画像読取装置は、単独機に限らず、コピー機、ファクシミリ装置、複合機といった画像処理装置に一体的に組み込まれてもよい。第２読取部は、第２走査ユニットに設けてもよい。載置部は、第２走査ユニットの移動領域の下方に配置される。
【００５５】
上記では、第１読取部の動作と第２読取部の動作はそれぞれ独立していたが、両読取部を併用してもよい。すなわち、走査部が初期位置から終了位置まで移動する１回の走査において、第１読取部が載置台にセットされた記録媒体の画像を読み取り、第２読取部が載置部にセットされた記録媒体の画像を読み取る。そして、２つの画像を別々に出力したり、２つの画像を合成して出力する。
【００５６】
第２読取モードでは、記録媒体を固定して、第２読取部を走査するが、逆に第２読取部を固定して、記録媒体を移動させてもよい。載置部に、記録媒体を副走査方向に往復移動させる移動部を設ける。移動部は、例えばベルトコンベヤ、ローラ等によって記録媒体を直接移動させる。あるいは記録媒体をセットした移動台をモータによって移動させてもよい。
【図面の簡単な説明】
【００５７】
【図１】本発明の画像読取装置の構成を示す図であって、（ａ）は走査開始前の状態を示す図、（ｂ）は走査終了後の状態を示す図
【図２】載置部を示し、（ａ）は平面図、（ｂ）は正面図、（ｃ）は側面図
【図３】第１走査ユニットと載置部との接触状態を示す図
【図４】画像読取装置の制御ブロック図
【図５】画像読取時のフローチャート
【符号の説明】
【００５８】
１    第１読取部
２    第２読取部
３    キャビネット
４    載置台
５    載置部
１５    撮像素子
２１    第１走査ユニット
２２    第２走査ユニット
３１    読取素子
３５    読取窓
３７    開口
１０１    制御部
１０４    記憶部
１０５    通信部
１０７    ドライバ
１０７ａ  駆動モータ
２００    外部機器
【図１】
2009188695.tif 000003
【図２】
2009188695.tif 000004
【図３】
2009188695.tif 000005
【図４】
2009188695.tif 000006
【図５】
2009188695.tif 000007